(57)【要約】  トイレ訓練過程における子供の発達を助けることができるロール状ティッシュ製品が、全体的に示されている。ロール状ティッシュ製品は、ティッシュウエブ上に位置されるパターンを含むことができ、パターンは、使用されるべき適当な量のトイレットティッシュを子供が判断することを助ける。又、ティッシュウエブの幾つかの切離し用小孔線は、他の切離し用小孔線より弱いものとすることができ、子供が、適当な量のトイレットティッシュをロールから綺麗に切り離すことができるようにするのを補助する。ティッシュウエブの幾つかの切離し用小孔線は、どこに切離し用小孔線が位置するかを指示するために、視覚的指標を有することができる。【選択図】図１
2009505780.tif 000002
【特許請求の範囲】
【請求項１】
ロール状ティッシュ製品であって、
ロールを形成するように渦巻き状に巻かれており、第一表面を定め、切離し用小孔線により切り離されるティッシュシートから形成されているティッシュウエブと、
前記第一表面上に位置させられた繰り返しパターンと、
を含み、前記パターンは、約２から約５ティッシュシートの距離にわたって繰り返される表示を含み、前記パターン内の前記表示は、前記パターンが横切る前記切離し用小孔線に対して位置合わせされていないことを特徴とする製品。
【請求項２】
前記繰り返しパターンは、連続した文字数字表示を含むことを特徴とする請求項１に記載のロール状ティッシュ製品。
【請求項３】
切離し用小孔線は、各々の位置合わせされていない繰り返しパターンの間に配置されることを特徴とする請求項１又は請求項２に記載のロール状ティッシュ製品。
【請求項４】
各々のパターンの間に配置された前記切離し用小孔線は、前記ウエブ上に位置する他の切離し用小孔線より弱いものであることを特徴とする請求項３に記載のロール状ティッシュ製品。
【請求項５】
各々のパターンの間に配置された前記切離し用小孔線が、どこに位置するかを示す視覚的指標を含むことを特徴とする請求項３又は請求項４に記載のロール状ティッシュ製品。
【請求項６】
各々の前記パターンは、約３ティッシュシート又は約４ティッシュシートにわたって延びることを特徴とする請求項１から請求項５までのいずれか一項に記載のロール状ティッシュ製品。
【請求項７】
各々の前記パターンは、前記ティッシュウエブ全体にわたり近接するどの２つの表示も同一にならないように配置された異なる表示を含むことを特徴とする請求項１から請求項６までのいずれか一項に記載のロール状ティッシュ製品。
【請求項８】
ロ−ル状ティッシュ製品であって、
ロールを形成するように渦巻き状に巻かれ、第一表面を定め、切離し用小孔線により切り離されるティッシュシートから形成されているティッシュウエブと、
前記第一表面上に位置させられ、各々が繰り返し表示を含んでいる複数のグループからなる図案と、
から成り、各々の前記グループは、前記ティッシュウエブ上の前記近接するグループとは異なる繰り返し表示を含み、約２から約５ティッシュシートの距離にわたって延びることを特徴とする製品。
【請求項９】
各々の前記グループは、繰り返し文字数字表示を含み、前記グループは、前記図案が連続した文字数字表示のグループを含むように方向付けられたことを特徴とする請求項８に記載のロール状ティッシュ製品。
【請求項１０】
切離し用小孔線は、各々のグループの間に配置されることを特徴とする請求項８又は請求項９に記載のロール状ティッシュ製品。
【請求項１１】
各々のグループの間に配置される前記切離し用小孔線は、前記ウエブに配置された他の切離し用小孔線より弱いものであることを特徴とする請求項１０に記載のロール状ティッシュ製品。
【請求項１２】
各々のグループの間に配置される前記切離し用小孔線が、どこに位置するかを示す視覚的指標を含むことを特徴とする請求項１０又は請求項１１に記載のロール状ティッシュ製品。
【請求項１３】
各々の前記グループ内の前記表示は、各々の前記グループを横切って延びる前記切離し用小孔線に対して位置合わせされていないことを特徴とする請求項８から請求項１２のいずれか一項に記載のロール状ティッシュ製品。
【請求項１４】
各々の前記グループは、約３ティッシュシート又は約４ティッシュシートにわたって延びることを特徴とする請求項８から請求項１３のいずれか一項に記載のロール状ティッシュ製品。
【請求項１５】
ロール状ティッシュ製品であって、
ロールを形成するように渦巻き状に巻かれたティッシュウエブを含み、前記ティッシュウエブは、前記ティッシュウエブに沿った切離し用小孔線により分離されるティッシュシートから形成され、前記切離し用小孔線の一部は、前記他の切離し用小孔線より弱いものであり、前記弱い切離し用小孔線は、少なくとも１つの他の切離し用小孔線が各々の前記弱い切離し用小孔線の間に位置するように、互いに間隔を持っておかれることを特徴とする製品。
【請求項１６】
前記弱い切離し用小孔線は、前記ティッシュウエブの前記他の切離し用小孔線の６０％より小さい強度を有することを特徴とする請求項１５に記載のロール状ティッシュ製品。
【請求項１７】
前記弱い切離し用小孔線は、前記ティッシュウエブに沿って３つごと又は４つごとの切離し用小孔線の間隔を持つことを特徴とする請求項１４又は請求項１５に記載のロール状ティッシュ製品。
【請求項１８】
前記弱い切離し用小孔線と前記他の切離し用小孔線を区別することができるようにするために、前記弱い切離し用小孔線と関連する視覚的指標を含むことを特徴とする請求項１５から請求項１７のいずれか一項に記載のロール状ティッシュ製品。
【請求項１９】
子供が適当な量のティッシュウエブを使用することを学習することを介助するために、前記ロール状ティッシュ製品をどのように使用するかを、親に説明するための指示を更に含むことを特徴とする請求項１から請求項１８までのいずれか一項に記載のロール状ティッシュ製品。
【請求項２０】
請求項１から請求項１９までのいずれか一項のロール状ティッシュ製品を形成するための方法であって、
製紙用繊維の水性懸濁液を形成し、
形成用布、型付け用布、又は通気式乾燥布上に製紙用繊維の前記水性懸濁液を堆積してウエブを形成し、
前記ウエブを脱水し、乾燥して紙シートを形成し、
前記形成、堆積、又は脱水段階中に、使用するのに適当な量のトイレットティッシュを子供が判断するのを助けることができる表示を有するパターンを前記紙シート状に形成し、
ティッシュシートを区画するように前記紙シートを穿孔し、
前記紙シートをロール状トイレットティッシュ製品に変換する、
ことから成ることを特徴とする方法。
【発明の詳細な説明】
【技術分野】
【０００１】
子供がトイレを使用する訓練の間に存在する多くの困難性の１つに、適切な量のトイレットティッシュを使用することを子供に教えることがある。子供が、実際に必要な量より多い量のトイレットティッシュを使用する場合は、余分なトイレットティッシュが無駄になるだけでなく、余分なトイレットティッシュは、トイレ内を散らかし、トイレ又は関連する配管を詰らせる可能性がある。更に余分なトイレットティッシュの使用の結果起こる散らかり又は詰りは、子供を挫折させて、訓練の進歩を妨害する可能性がある。
【０００２】
子供達が適当な長さのトイレットティッシュの使用を学習することの困難さは、子供達が、トイレットティッシュの適当な量及びシート枚数の両方を判断することの困難さと関連させることができる。例えば、子供は、トイレットティッシュ上の視覚的指標又は他のパターンがないと、どのぐらいのトイレットティッシュを使用するのが適当であるかを直感的に知ることができない。
【０００３】
訓練中の子供を介助するために、親その他の指導者が、ある程度のトイレットティッシュを使用することを子供に教えるようにすることができる。典型的には、親が、トイレットティッシュの枚数を数えることで、使用するトイレットティッシュの量を教えるか又は提案することができる。例えば、親が子供に３又は４枚のシート使用するように教える場合には、子供は３又は４シートを判断し、数えることが困難になる場合がある。この困難さは、トイレットティッシュを分離する切離し用小孔線を見分けることが困難であることにより生じるものである。又、非常に小さい子供は、特に、トイレ訓練中に付加される重圧で、３又は４枚を数えることが困難な場合がある。
【０００４】
更に、トイレ訓練中の子供にとっては、トイレットティッシュをロール状製品から、切離し用小孔線上などで綺麗に切り離すことが困難である。子供は、シートの間にある切離し用小孔線を見たり、又は感じることが不可能である。子供が切離し用小孔線を発見することができたとしても、子供にとっては、切離し用小孔線で綺麗に引き裂くことが困難である。
【０００５】
従来の多くのロール状ティッシュ製品には、ベースウエブ上に図案又は絵が組み込まれていた。これらの図案は、典型的には、子供又は大人にも美的に喜ばれるティッシュ製品を形成するように向けられている。ある図案は、子供に、アルファベット又は数字を教えることを介助する付随的利益に向けることができる。しかしながら、従来のロール状ティッシュ製品は、使用するのに適当な量のトイレットティッシュを子供に教えることには成功していない。
【０００６】
このように、特にトイレ訓練中に、トイレットティッシュを使用するのにどのくらいが適当な量であるかを、子供が理解することを助けることができるトイレットティッシュの存在が必要である。又、使用するのに適当な量のトイレットティッシュを、子供がロール状製品から綺麗に引き裂くか又は切り離すことが容易であるロール状ティッシュ製品の必要性がある。
【０００７】
あらゆる個人によって使用するのに適当で、トイレ室内で同じ機能を提供する２つの製品を必要としないロール状ティッシュ製品の存在が必要である。例えば、高年齢の個人にとって、ティッシュウエブの特定のパターンに注意を払う必要性により煩わしさが感じられることがなく、大人が使用パターンを無視するようなことがあっても、低年齢の子供が、その後混乱することなく、製品を使用する能力を妨げるようなことがないような方法で機能することができる製品の必要性がある。
【０００８】
又、高速で製造することができる製品を形成する必要性がある。加工速度に著しい制限を必要とする製造工程及びシステムは、製品の製造費用を増加させることとなる。
【０００９】
【特許文献１】米国特許第４，７９３，８９８号公報
【特許文献２】米国特許第４，５９４，１３０号公報
【特許文献３】米国特許第３，５８５，１０４号公報
【特許文献４】米国特許第５，５９５，６２８号公報
【特許文献５】米国特許公開番号２００５／００６７１２５Ａ１
【特許文献６】米国特許公開番号２００３／０１０２０９８Ａ１
【特許文献７】米国特許第６，３９８，９１０号公報
【発明の開示】
【発明が解決しようとする課題】
【００１０】
（定義）
本開示に述べられているティッシュ製品は、トイレットティッシュ、顔用ティッシュ、紙タオル、事業用拭き布、食品提供用拭き布、ナプキン、医療用パッド、及び他の類似した製品などの、ベースウエブから形成される紙製品を含むことを意味する。
【００１１】
ここで述べられるティッシュシートは、渦巻き状に巻かれたシートの機械横方向（ＣＤ）における、近接する弱められた線、すなわち切離し用小孔線の間の材料を意味する。ここで用いられるシート長さは、近接する弱められた線の間の機械方向（ＭＤ）における距離を意味する。例えば、衛生用トイレットティッシュ製品は、全体的に約３インチから約８インチ、例えば約３インチから約７インチのシート長さを有する。例えば、１つの特定の実施形態においては、トイレットティッシュのシート長さは、約３インチから約５インチ、例えば約４インチとすることができる。しかしながら、ロール内でシート長さを変化させることができる。
【００１２】
ロール嵩ｃｃ／ｇは、３．１４２ｘ（ロール直径の２乗ｃｍ2−外側芯直径の２乗ｃｍ2）／（４ｘシート長さｃｍｘシート枚数ｘ基本重量ｇ／ｃｍ2）、又はロール嵩ｃｃ／ｇは、０．７８５ｘ（ロール直径の２乗ｃｍ2−外側芯直径の２乗ｃｍ2）／（シート長さｃｍｘシート枚数ｘ基本重量ｇ／ｃｍ2）である。本発明の製品のロール嵩は、本発明にはそれほど重量ではなく、例えば約４ｃｃ／ｇから約３０ｃｃ／ｇ、例えば約５ｃｃ／ｇから約２５ｃｃ／ｇ、例えば約６ｃｃ／ｇから約２０ｃｃ／ｇなどと、広く変化することができる。
【００１３】
ティッシュ製品は、その嵩により他の紙製品と区別することができる。本発明の様々なロール状製品にとって、ロール上のシートの単一シート嵩は、約５立方センチメートル／グラム又はこれより大きく、例えば、約７立方センチメートル／グラム又はこれより大きく、例えば約８立方センチメートル／グラム、例えば約６立方センチメートル／グラムから約２４立方センチメートル／グラムとすることができる。
【００１４】
単一シート嵩は、単一シートキャリパーを計測して、製品の調整された基本重量で割って計算される。ここで用いられる「キャリパー」という用語は、単一ティッシュシートの厚さであり、単一ティッシュシートの厚さとして計測するか、又は束内の各々のシートを、同じ側部を上に配置して、その１０枚のティッシュシートの束の厚さを計測して１０で割るかのいずれかとすることができる。キャリパーは、ミクロンで表わされる。キャリパーは、「Ｓｔａｎｄａｒｄ  Ｃｏｎｄｉｔｉｏｎｉｎｇ  ａｎｄ  Ｔｅｓｔｉｎｇ  Ａｔｍｏｓｐｈｅｒｅ  Ｆｏｒ  Ｐａｒｅｒ，Ｂｏａｒｄ，Ｐｕｌｐ  Ｈａｎｄｓｈｅｅｔｓ  ａｎｄ  Ｒｅｌａｔｅｄ  Ｐｒｏｄｕｃｔｓ」のＴＡＰＰＩテスト法Ｔ４０２及び任意ではあるが積み重ねられたティッシュシートについてのＮｏｔｅ３に基づき「Ｔｈｉｃｋｎｅｓｓ（ｃａｌｉｐｅｒ）ｏｆ  Ｐａｐｅｒ、Ｐａｐｅｒｂｏａｒｄ、ａｎｄ  Ｃｏｍｂｉｎｅｄ  Ｂｏａｒｄ」のＴ４１１  ｏｍ−８９にしたがって計測される。Ｔ４１１  ｏｍ−８９を実行するために使用されるミクロメーターは、嵩ミクロメーター（ニューヨーク州アミティービルのＴＭＩ  ４９−７２−００型）又は４  １／１６インチ（１０３．２ミリメートル）のアンビル直径及び２２０グラム／平方インチ（３．３ｇキロパスカル）のアンビル圧力を有する同等のものとする。
【００１５】
ティッシュシート被験物の基本重量及び完全乾燥状態の基本重量は、ＴＡＰＰＩ  Ｔ４１０の手順又は同等に修正されたものを使用して、２３℃±１℃及び相対湿度５０±２％のもとで最低４時間にティッシュサンプルを置いて調整することにより求められる。調整された後、１６枚の束を３”ｘ３”のサンプルに型プレス及び組み合わされたダイを使用して切り取られる。これは、ティッシュシートサンプルの面積が、１４４ｉｎ2すなわち９２９ｃｍ2であることを示す。適当な型プレスの例としては、ニューヨーク州ＩｓｌａｎｄｉａのＴｅｓｔｉｎｇ  Ｍａｃｈｉｎｅｓ，Ｉｎｃ．により製造されたＴＭＩ  ＤＧＤ型プレス、又はマサチューセッツ州ウイルミントンのＵＳＭ  Ｃｏｒｐｏｒａｔｉｏｎにより製造されたＳｗｉｎｇ  Ｂｅａｍテスト機械である。ダイの大きさの許容誤差は、両方の方向に±０．００８インチである。被験物の束は、次に風袋を差し引かれた分析用天秤で、０．００１グラムに最も近い値まで計量される。グラム／平方メートルの基本重量は、次の方程式を使用して計算される。
基本重量＝束の重量グラム／０．０９２９
【００１６】
ティッシュシートは、ロール状製品を構成する連続するシートにおける、近接する弱められた線の間の材料として定めることができる。シート長さは、近接する弱められた線の間の距離として定められ、シート幅は、シート長さに垂直な、シートの縁から縁までの距離として定められる。本発明の衛生用トイレット製品は、約３インチから約８インチ、例えば約３．２５インチから約７インチ、例えば約３．５インチから約６インチ、例えば約３．７５インチから約５インチの単一シート長さを有することが好ましい。本発明の衛生用トイレット製品は、約３インチから約６インチ、例えば約３．２５インチから約５インチ、例えば約３．５インチから約４．７５インチのシート幅を有することが好ましい。
【００１７】
ここで使用される製紙用繊維は、知られているすべてのセルロース系繊維又はセルロース系繊維を含む繊維混合物を含む。本発明のウエブを形成するための適当な繊維は、綿、アバカ、ケナフ、サバイ草、アマ、ハネガヤ草、麦、ジュート、バガス、トウワタ繊維、及びパイナップル葉の繊維などの非木質繊維に限定されず、北方及び南方軟材クラフト繊維などの軟材繊維、ユーカリ、メープル、カバノキ、及びアスペンなどの硬材繊維を含む落葉樹及び針葉樹から得られるような木質繊維を含む天然又は合成セルロール系繊維を含む。木質繊維は、高収率又は低収率形態で形成することができ、クラフト、亜硫酸塩、高収率パルプ形成法及び他の周知のパルプ形成法を含む、あらゆる知られる方法でパルプ形成することができる。１９８８年１２月２７日付けのＬａａｍａｎｅｎ他の米国特許第４，７９３，８９８号、１９８６年６月１０日付けのＣｈａｎｇ他の米国特許第４，５９４，１３０号及び米国特許第３，５８５，１０４号に記載された繊維及び方法を含むオルガノゾルフパルプ形成法から形成された繊維を使用することができる。有益な繊維は、１９９７年１月２１日付けのＧｏｒｄｏｎ他の米国特許第５，５９５，６２８号に例示された、アントラキノンパルプ形成法により形成することができる。乾燥時重量が５０％まで又はこれより小さい、又は乾燥時重量が約５％から約３０％などの繊維の部分は、レーヨン、ポリオレフィン繊維、ポリエステル繊維、二成分鞘−芯繊維、多成分結合繊維、又は同様のものなどの合成繊維とすることができる。例示的ポリエチレン繊維は、Ｈｅｒｃｕｌｅｓ，Ｉｎｃ．（デラウエア州ウイルミントン）から入手可能なＰｕｌｐｅｘ（登録商標）である。あらゆる周知の漂白法を使用することができる。合成セルロース繊維型は、すべての異なる種におけるレーヨン及びビスコース又は化学変成されたセルロースから派生した他の繊維を含む。化学処理された天然セルロース系繊維は、シルケット加工されたパルプ、化学的に剛性化又は架橋結合された繊維、又は硫酸化した繊維などを使用することができる。製紙用繊維を使用する場合の良い機械的特性にとっては、繊維は比較的損傷がなく、ほとんど精製されていないか又はわずかに精製されていることが望ましい。再生利用された繊維を使用することができるが、バージン繊維は、その機械的特性及び汚染物質がないことにおいて、一般的に有益である。シルケット加工された繊維、再生されたセルロース系繊維、微生物により形成されたセルロース、レーヨン、及び他のセルロース系材料又はセルロース系派生物を使用することができる。適当な製紙用繊維は、再生利用された繊維、バージン繊維、又はこれらの混合物を含むことができる。高嵩及び良好な圧縮特性が可能な実施形態においては、繊維は、少なくとも２００、より特定的には少なくとも３００、より特定的には少なくとも４００、更に最も特定的には少なくとも５００のＣａｎａｄｉａｎ  Ｓｔａｎｄａｒｄ  Ｆｒｅｅｎｅｓｓを有することができる。
【００１８】
本発明に使用することができる他の製紙用繊維は、紙破断繊維又は再生利用した繊維及び高収率繊維を含む。高収率パルプ繊維は、約６５％又はこれより大きい、より特定的には約７５％又はこれより大きい、更により特定的には約７５％から約９５％の収率を付与するパルプ形成法により形成された製紙用繊維である。収率は、最初の木材の質量に対する割合として表わされる、加工された繊維の形成量である。このようなパルプ形成法は、漂白済み化学熱機械パルプ（ＢＣＴＭＰ）、化学熱機械パルプ（ＣＴＭＰ）、圧力／圧力熱機械パルプ（ＰＴＭＰ）、熱機械パルプ（ＴＭＰ）、熱機械化学パルプ（ＴＭＣＰ）、高収率亜硫酸塩パルプ、及び高収率クラフトパルプ、高レベルのリグニンを有する繊維を形成するすべてのものを含む。高収率繊維は、典型的化学パルプ形成された繊維と比較して、乾燥時及び湿潤時の両方において、剛性であることが良く知られている。
【００１９】
本開示は、一般的に、ロールを形成するように渦巻き状に巻かれたティッシュウエブを含む、ロール状ティッシュ製品に向けられる。ティッシュウエブは、第一表面を定め、ティッシュウエブに沿った切離し用小孔線により切り離されるティッシュシートから形成される。例えば、一実施形態においては、ティッシュシートは、標準トイレットティッシュシートとすることができる。
【００２０】
一実施形態においては、繰り返しパターンは第一表面上に位置し、約２から約５ティッシュシート、例えば約３又は約４シートの距離にわたって繰り返される。例えば、各々のパターンは、約８インチから約２０インチの長さにわたり延びることができる。パターンは、連続した文字数字表示などの表示を含むことができる。パターン内の表示は、パターンを横切って延びる切離し用小孔線に対して、位置合わせされていないものとすることができる。例えば、繰り返しパターンは、２つの近接する表示が一致しないように配列された、異なる表示を含むことができる。一実施形態においては、各々の繰り返しパターンが、近接するパターンにおいて、２つの同一の表示が同じ色を含まないように、ティッシュウエブ上にデジタル印刷することができる。
【００２１】
切離し用小孔線は、各々の繰り返しパターンの間に位置合わせすることができる。例えば、各々のパターンの間に位置合わせされた切離し用小孔線は、ウエブ上に位置される他の切離し用小孔線より弱いものとすることができる。又、一実施形態においては、ロール状ティッシュ製品は、各々のパターンの間のどこに切離し用小孔線が位置合わせされているかを示す、視覚的指標を含むことができる。
【００２２】
一実施形態においては、ロール状ティッシュ製品によって指示を与えることができる。例えば、子供が、使用するのに適当なティッシュウエブの量を学習することを助けるために、ｖ型ロール状ティッシュ製品をどのように使用するかを、親に説明することができる。例えば、ロール内に位置する挿入部、ロール状ティッシュ製品を含む梱包への挿入、ロール状ティッシュ製品を含む梱包の外側表面に粘着させた取り外し可能なシート、又はロール状ティッシュ製品を含む梱包の外側表面上に印刷された指示の形態で、指示を与えることができる。
【００２３】
別の実施形態においては、巻かれたティッシュウエブは、第一表面上に位置される図案を含むことができる。図案は、繰り返し表示のグループを含むことができる。各々のグループは、約２から約５のティッシュウエブ、例えば約３又は約４シートの距離にわたって延びることができる。各々のグループは、ティッシュウエブ上の近接するグループとは異なる繰り返し表示を含むものとすることができる。一実施形態においては、各々のグループは、文字数字表示の繰り返しグループを有することができる。図案が連続した文字数字表示を含むように、グループを方向付けすることができる。例えば、一実施形態においては、どんな２つの文字数字表示も、ティッシュウエブ全体にわたり同じものではないものとする。
【００２４】
各々のグループ内の繰り返し表示は、グループを越えて延びる切離し用小孔線に対しては、位置合わせされるか又は位置合わせされないものとすることも可能である。切離し用小孔線は、各々の表示グループの間に位置合わせすることができる。例えば、各々のグループの間に位置合わせされた切離し用小孔線は、ウエブ上に位置する他の切離し用小孔線より弱いものとすることができる。又、視覚的指標は、各々のグループの間に位置合わせされた切離し用小孔線がどこに位置するかを示すことができる。
【００２５】
更に別の実施形態においては、本開示は、一般的に、ロール上に渦巻き状に巻かれたティッシュウエブを含むロール状ティッシュ製品に向けられる。ティッシュウエブは、ティッシュウエブに沿った切離し用小孔線で切り離されるティッシュシートから形成される。切離し用小孔線の一部は、他の切離し用小孔線より弱いものとすることができる。例えば、弱い切離し用小孔線は、ティッシュウエブの他の切離し用小孔線の強度の４０％より小さく、例えば他の切離し用小孔線の強度の約５０％より小さい強度を有することができる。弱い切離し用小孔線は、少なくとも１つの他の切離し用小孔線が、各々の弱い切離し用小孔線の間に位置するように、互いに間隔を持って位置させることができる。例えば、弱い切離し用小孔線は、ティッシュウエブに沿って３つごと又は４つごとに間隔を持つように、互いが繰り返しの距離で間隔を持つことができる。又、視覚的指標は、弱い切離し用小孔線と関連して、ティッシュウエブの弱い切離し用小孔線を他の切離し用小孔線から識別するのを助けることができる。
【００２６】
更に別の実施形態として、本開示は、概して、ロール状ティッシュ製品の形成法に向けられる。該方法は、製紙用繊維の水性懸濁液を形成し、形成用布、型付け用布、又は通気乾燥布上に繊維を堆積してウエブを形成し、ウエブを脱水及び乾燥して紙シートを形成する段階を含むことができる。パターンは、これらの段階中に形成することができ、該パターンは表示を有し、子供が、使用するのに適当なトイレットティッシュの量を判断することを助けるものとすることができる。該方法は又、紙シートをティッシュシートに穿孔させ、紙シートをロール状トイレットティッシュ製品に変換する段階を含むことができる。
【００２７】
本発明の様々な特性及び態様は、以下の詳細な説明から明らかとなるであろう。
【００２８】
当業者にとって最も良い形態を含む、本発明の十分で可能な開示が、添付された図面を参照して、本明細書においてより特定的に述べられる。
【００２９】
本明細書及び図面において繰り返し使用される参照番号は、本発明の同一の又は類似した特性又は要素を表わすことを意図する。
【発明を実施するための最良の形態】
【００３０】
以下に、本発明の実施形態について言及するが、そのうちの１又はそれ以上の例が以下に示される。各々の例は、本発明の説明のために提供されているものであり、本発明を限定するものではない。事実、様々な修正及び変更が、本発明の範囲又は意図から外れることなく、本発明に対してなされることが当業者には明らかである。例えば、一実施形態における部分として説明又は述べられた特性は、別の実施形態において利用して、別の実施形態とすることができる。このように、本発明は、添付された特許請求の範囲及びそれらの均等手段の範囲内であるものとして、このような変更及び修正を含むことを意図する。本発明は、例示的実施形態のみの説明であり、本発明の広い態様を制限するものではなく、広い態様は例示的構造において実現されることが当業者により理解される。
【００３１】
一般的に、本開示は、ロール状トイレットティッシュなどのロール状ティッシュ製品に向けられる。例えば、本開示のロール状ティッシュ製品は、ロールを形成するように渦巻き状に巻かれたティッシュウエブとすることができる。本開示によると、パターン又は図案を、ティッシュウエブの少なくとも１つの側部上に配置することができる。例えば、パターンは、トイレ訓練の過程において子供が使用するべき適当な量のティッシュウエブといった、ティッシュウエブの予め定められた長さに延びるか、或いは他の方法で予め定められた長さを識別しやすくするものとすることができる。
【００３２】
又、パターン又は図案は、子供及び親（又は他の教師）の両方が挫折する可能性があるトイレ訓練過程の間に、子供を落ち着かせて、励ますように美的に興味を引かせることができる。例えば、パターン又は図案は、漫画の登場人物又は幾何学形状などの、子供に容易に認識可能である表示を有するものとすることができる。更に、パターンは、番号及び／又は文字などの文字数字表示とすることができ、子供の発達及び学習過程を補足することができる。例えば、パターン又は図案は、子供がアルファベット又は数え方を学習することの助けとなることができる、連続した文字数字表示を含むものとすることができる。
【００３３】
図１−４に示された例示的実施形態を参照すると、ロール状ティッシュ製品１０がトイレットティッシュの形態で示されている。表示２８及び３０のパターンは、ティッシュウエブ１４上に位置される。これらの実施形態においては、パターンは、ティッシュウエブ１４の第一表面１６上でだけ見ることができる。しかしながら、他の実施形態においては、パターンは、ティッシュウエブ１４の第一表面１６及び第二表面１８の両方において見ることができるようにすることができる。
【００３４】
ティッシュウエブ１４は、ロール２０の周囲に渦巻き状に巻かれ、切離し用小孔線２４により切り離される多数のティッシュシート２２で形成することができる。示された実施形態においては、ティッシュシート２２は、切離し用小孔線２４の間では実質的には同じ大きさ及び形状を有し、実質的に正方形である。しかしながら、ティッシュシート２２は、ティッシュウエブ１４を形成することが可能なあらゆる形状とすることができる。例えば、ティッシュシート２２は、長方形とすることができる。又、ティッシュシート２２は、ティッシュウエブ１４全体で、実質的には同じ大きさとすることもでき、又は異なる大きさとすることもできる。事実、本開示によると、あらゆる大きさのティッシュシート２２を使用することができる。
【００３５】
例えば、一実施形態においては、ティッシュウエブ１４は、切離し用小孔線２４で切り離される標準トイレットティッシュシート２２を有するロール状製品とすることができる。ここで用いられるように、トイレットティッシュの標準ティッシュシートは、実質的には長方形又は四角のティッシュシートであり、各々の側部は、約３．８から約４．２インチ、例えば実質的には各々の側部が約４インチを有する四角のティッシュシートとする。しかしながら、ティッシュシートの大きさは、ティッシュウエブ１４全体にわたってあまり変化するものではないことが理解される。
【００３６】
本開示によると、パターン又は図案は、子供が使用するべき適当な量のトイレットティッシュを覆う距離などの、ティッシュウエブの予め定められた距離を、子供が判断することを助けるように方向付けることができる。紙製品の適当な量は、紙製品を使用する意図によって変化することができる。事実、適当な量は、使用者個人の好み又は意見で、変化することさえできる。このように、トイレットティッシュの適当な量は、約８から約２４インチのティッシュウエブなどのように予め定めることができる。例えば、標準トイレットティッシュの典型的量は、約８から約２０インチ、例えば約１２から約１６インチとすることができる。
【００３７】
トイレットティッシュを迅速に計測するには、使用されるティッシュウエブのティッシュシートを数えることを含むことができる。例えば、トイレットティッシュの適当な量は、２又はそれより多いティッシュシートとすることができる。例えば、幾つかの実施形態においては、トイレットティッシュの適当な量は、約２から約５の標準ティッシュシート、例えば約３又は約４の標準ティッシュとすることができる。
【００３８】
図１の例示的実施形態を参照すると、図案は、ティッシュウエブ１４の第一表面上に見ることができる。図案は、グループ２６で形成される。各々のグループ２６は、繰り返し文字数字表示２８で形成される。各々のグループ２６は、４ティッシュシート２２の距離にわたって延びる。しかしながら、他の実施形態においては、各々のグループ２６は、少なくとも約２ティッシュシートなどの、あらゆる予め定められた距離にわたって延びることができる。例えば、一実施形態においては、各々のグループは、３ティッシュシートにわたって延びることができる。又、他の実施形態においては、グループ２６は、長さを変化させ又は変更することができる。
【００３９】
この実施形態においては、特定のグループ２６内のすべての表示２８は、同じものである。たとえば、グループ２６（ａ）は、文字数字表示「Ａ」（２８（ａ）参照）を含み、４ティッシュシート２２にわたって繰り返す。次のグループ２８（ｂ）は、次のティッシュシート２２から始まり、文字数字表示「Ｂ」（２８（ｂ）参照）を含み、次の４ティッシュシート２２にわたって繰り返す。この実施形態においては、繰り返し文字数字表示２８のグループ２６は、図案が、連続した文字数字表示のグループ２６を含むように方向付けることができる。したがって、次のグループ２６（ｂ）は、文字数字表示「Ｃ」を有するグループであり（図示されず）、次の４ティッシュシートにわたって繰り返す。
【００４０】
一実施形態においては、各々のグループ２６は、異なる繰り返し表示２８又は３０を含むことができ、どのグループ２６もその中に同じ表示２８又は３０を有することはない。例えば、一実施形態においては、ロール状ティッシュ製品１０は、各々が異なる繰り返し文字数字表示２８を有するグループ２６を含む図案を有するティッシュウエブ１４とすることができる。例えば、ティッシュウエブは、文字「Ａ」から始まって文字「Ｙ」までの繰り返し文字数字表示２８の２５グループ２６を有する、約１００のティッシュシート２２で形成することができる。
【００４１】
文字数字表示２８の代わりに、他の表示をパターン１２内に位置させることができる。事実、あらゆる表示、幾何学的形状、又は他の描写で、特に子供に容易に認識することができるような表示を、文字数字表示２８の代わりに使用することができる。例えば、図２を参照すると、グループ２６（ｃ）は、幽霊を描いた漫画のような繰り返し表示（３０（ａ）を有する。グループ２６（ｄ）は、魚を描いた漫画のような繰り返し表示３０（ｂ）を有する。
【００４２】
図１及び図２の実施形態においては、各々のグループ２６は、使用するべきティッシュウエブ１４の適当な量を示す。例えば、適当な量のトイレットティッシュは、各々のグループが延びる距離であることを、子供は教示又は指示される。このようにして、子供は新しい表示のグループが始まることを示す異なる表示との間で紙製品を引き裂くことを教示される。又、数字文字表示が図案の中に存在する場合は、子供の学習過程は、ティッシュウエブ上に位置される文字数字表示で補足することができる。
【００４３】
図３の例示的実施形態を参照すると、繰り返しパターンは、ティッシュウエブ１４の第一表面１６上に位置される。パターンは、連続した文字数字表示２８（ａ−ｃ）を有する。パターンは、繰り返しの前の３ティッシュシート２２の距離にわたって延びる。しかしながら他の実施形態においては、連続した文字数字表示２８のパターンは、２ティッシュシートより多いような、繰り返しの前のあらゆる予め定められた距離にわたって延びることができる。例えば、文字数字表示２８のパターンは、約２から約５ティッシュシートごとの繰り返し、例えば約４ティッシュシート２２にわたって延びることができる。
【００４４】
このように、子供に、使用するのに適当な量のティッシュウエブ１４は、繰り返しの間の各パターン間の距離であることを教えることができる。したがって、図３を参照すると、ティッシュウエブ上の文字数字表示「Ａ」（２８（ａ）で示される）を残して、文字数字表示「Ｃ」（２８（ｃ）で示される）の後に、紙製品を切り裂くように子供に指示することができる。又、連続した文字数字表示２８の使用は、子供の学習及び発達過程を介助することができる。
【００４５】
一実施形態においては、繰り返しパターンは、繰り返しパターンの近接するどの２つの表示も同一のものではないように配列された表示を含むことができる。ロールの各々のシートは、少なくとも１つの表示又は繰り返しパターンの少なくとも１つの表示の一部を含むことが好ましい。ティッシュのロールを含むティッシュウエブのあらゆる点で、同一の表示が次に出現するのは、子供が使用するのに望ましい量と等しい長さとするようにパターンを配列することができる。例えば、繰り返しパターンは、同一の文字数字表示の次の出現は、３シートごと又は４シートごと、すなわちおよそ約９インチから約１６インチおきに出現するように、連続した文字数字表示から構成することができる。
【００４６】
この実施形態においては、パターンは、繰り返しパターンに注意を払う必要のない年齢の高い個人に製品を使用させることが可能である。ロールの中のあらゆる特定の点で引き裂くことは小さい子供を混乱させるものではなく、小さい子供は、前の使用者の態度に関係なく、同じ量のティッシュを繰り返し使用することができることを確実なものとする。
【００４７】
図１及び３の実施形態においては、アルファベット表示２８だけが示されている。しかしながら、本開示の範囲は、アルファベット文字に限定するものではない。例えば、他の実施形態においては、あらゆる言語のアルファベット文字及び／又はあらゆる言語の数字を含むあらゆる文字数字表示が、図１又は３のいずれかの文字と同じ方法で使用することができる。例えば、図４は、数字の繰り返しパターンを描いている。又上記したように、あらゆる他のパターン又は図案が、本開示の範囲内で使用することができる。事実、パターンはあらゆる図案とすることができ、特に子供に認識されることが可能な図案とすることができる。例えば、図２に示された実施形態においては、パターンは、漫画のような幽霊と魚の図案の組み合わせとして示されている。
【００４８】
又、パターンは、ティッシュシート２２上のあらゆる方法で、読み取り可能に位置させることができる。例えば、図１を参照すると、パターンは、文字数字表示２８がティッシュウエブ１４の長さ（ＭＤ）に垂直な方向に読み取り可能である。代替的には、図３は、ロール状ティッシュ製品１０が従来のディスペンサーに水平に位置されて、ティッシュウエブ１４が垂直に引っ張られる時に、文字数字表示２８が読み取り可能であることを示している。
【００４９】
図１及び３の実施形態においては、１つの表示２８が各々のティッシュシート２２上に位置される。他の実施形態においては、１又はそれ以上の表示２８又は３０は、各々のティッシュシート２２上に位置することができる。例えば、２つ又は３つの表示２８又は３０は、各々のティッシュシート２２上に位置することができる。又、表示２８及び３０がティッシュシート２２を分離する切離し用小孔線２４に対して位置合わせされていない場合は、各々のシート上の表示２８又は３０の数は、全体の数ではなく、ティッシュウエブ全体にわたって変化することができる。例えば、図４の実施形態においては、切離し用小孔線に対して位置合わされていない表示２８の方向のために、２つより多いが３つではない文字数字表示２８が、各々のティッシュシート２２上に位置される。
【００５０】
図１及び２においては、パターン又は図案のどの部分も、切離し用小孔線２４の上又は切離し用小孔線を横切って位置しないように、切離し用小孔線２４の間にパターンは位置合わせされる。ここで用いられる「位置合わせされる」という用語は、パターン又は図案の表示のどの部分も切離し用小孔線上にあるか又は切離し用小孔線を横切って延びることがないことを意味する。代替的には、図２及び４は、切離し用小孔線２４に対して位置合わせされていないパターンを描いている。ここで用いられる「位置合わせされていない」という用語は、パターン又は図案が、切離し用小孔線に対して特定の方向に方向付けられていないことを意味し、パターン又は図案の幾つかは、切離し用小孔線上に位置するか又は切離し用小孔線を覆って位置するようにすることができる。一実施形態においては、パターン又は図案を越えて延びるティッシュウエブ１４におけるどの切離し用小孔線も、位置合わせされないようにすることが可能である。
【００５１】
例えば、図２を参照すると、図案のどの部分もあらゆる切離し用小孔線２４に対して位置合わせされていない。ティッシュウエブ１４上に位置されるパターン又は図案全体を位置合わせしないことは、製造工程を簡素化することができる。典型的には、位置合わせした図案をティッシュウエブ上に位置させると、パターン又は図案が印刷され、エンボス加工されるか、又は切離し用小孔線を形成する前の段階で、ティッシュウエブ上に置かれる。図案又はパターンは、位置合わせさせるためにある程度の距離で広げなければならない。次に、ティッシュウエブ上に切離し用小孔線を形成するために、ティッシュウエブは、穿孔用機械に注意深く配列されて、表示の間に切離し用小孔線を形成する。しかしながら、ティッシュウエブは、穿孔装置を通って移動する間に延伸することができ、切離し用小孔線を位置合わせしようとする間に複雑化される。
【００５２】
一実施形態においては、図案又はパターンは、ティッシュ形成工程の間に、ティッシュウエブにエンボス加工することができる。このようなパターン又は図案と組み合わせる方法は、当業者によく知られており、例えば紙形成工程において、輪郭付けされた形成用布、型付け用布、又は通気式乾燥布を使用して形成することができる。このようなシートを製造する工程は、これらに制限されるものではないが、Ｂｕｒａｚｉｎ他の米国特許公開番号２００５／００６７１２５Ａ１、Ａｌｌｅｎ他の米国特許公開番号２００３／０１０２０９８Ａ１、及びＢｕｒａｚｉｎ他の米国特許第６，３９８，９１０号に記載されているような工程であり、これらすべては引用によりここに組み入れられる。
【００５３】
例えば、形成用布、型付け用布、又は通気式乾燥布は、間隔を持って凹みをつけるか又は隆起させた表示を有することができる。このように、ティッシュウエブは、別個のエンボス加工又は印刷段階を必要とせずに、形成段階で図案又はパターンを形成することができる。例えば、形成用布は、繰り返しパターン又はそこに位置する異なるグループを有し、ティッシュウエブは、このようなパターン又は図案がエンボス加工されたティッシュウエブで形成することができる。一実施形態においては、形成用布は、少なくともティッシュウエブの長さとすることができ、図案が同じ繰り返し表示ではない場合でも、ティッシュウエブ全体にわたってパターン又は図案を付与させる。このように、布は、ここで示されたロール状ティッシュ製品のあらゆる実施形態を形成するために利用することができる。
【００５４】
図４の例示的実施形態においては、パターンは、４ティッシュシート２２上にわたる状態で繰り返される。パターンの、１−９である数字表示２８は、繰り返しの前の状態では位置合わせされていない。しかしながら、パターンは、ティッシュウエブ１４の４つの切離し用小孔線２４ごとに繰り返すように位置合わせされる。したがって、この実施形態においては、数字表示「９」と「１」との間に常に切離し用小孔線が位置させられ、パターンが繰り返されていることを示す。
【００５５】
ベースウエブ１４にパターン又は図案を形成する方法は、本開示によって利用することができる。例えば、パターンは、あらゆる適当な技術によって、どんなシート状製品にも形成することができる。例えば、パターンは、印刷、スプレー塗布、被膜、エンボス加工、及び同様のものによりティッシュウエブ１４に付与することができる。ティッシュウエブ１４上にパターンを印刷する典型的方法は、これらに制限されるものではないが、フレキソ印刷法、グラビア印刷法、及びインクジェット印刷法を含むことができる。
【００５６】
１つの特定の実施形態においては、デジタル印刷などのインクジェット印刷法が、表示２８及び３０をティッシュウエブ１４上に印刷するために使用することができる。デジタル印刷法は、異なる図案又はパターンをティッシュウエブ１４に印刷するのに、他の印刷法より容易に印刷することができる。一実施形態においては、デジタル印刷は、ロール全体に異なる色を有する製品を形成するために使用することができる。例えば、図３及び４の実施形態を参照すると、各々の繰り返しパターンは、同一の表示２８を有することができるが、各々のパターンは異なる色を有することができる。代替的には、各々のパターン内の各々の表示は、異なる色とすることができる。又、図１及び２を参照すると、各々のグループ２６は、グループ２６内に異なる色を有することができる。代替的には、各々のグループ２６は、どの２つの近接するグループ２６も同じ色とならないように、異なる色とすることができる。色の変化という要素は、子供に連続した興味を持たせることとなる。
【００５７】
パターンは、単一プライ又は多プライ製品に付与することができる。例えば、各々のプライは、単一プライか又は２プライ、３プライ、又は多数プライを含むことができる多プライ紙ウエブで形成することができる。多プライティッシュで形成する場合は、少なくとも１つのプライは、例えば図１−４に示されるように、その上にパターンが位置される。一実施形態においては、例えば、パターンは、ティッシュウエブ１４の１つ又は両方の外側表面に付与することができる。代替的には、製品が多プライを含む場合は、パターンが製品の少なくとも１つの側部から見ることが可能である限り、パターンを内側表面に付与することができる。同様に、ティッシュウエブが紙ウエブの多プライを含む場合は、パターンがティッシュウエブの少なくとも１つの側部から見ることが可能である限り、パターンを内側ウエブに付与することができる。
【００５８】
切離し用小孔線２４は、実質的には、ＣＤ方向である、ティッシュウエブ１４の長さに垂直に示されている。しかしながら、切離し用小孔線２４は、ティッシュシート２２がロール状ティッシュ製品１０から切り離すことができる、あらゆる形態で位置させることができる。典型的には、切離し用小孔線の線は、ロール状ティッシュウエブを横切って、ウエブを個々のシート又は拭き布に形成する。切離し用小孔線の線は、各々のシート又は拭き布のために、引き裂き線を定める。切離し用小孔線の線は、典型的には、接着と切離し用小孔線を交互に含み、最も一般的な製品においては、均一の長さ及び間隔を有する。切離し用小孔線は、典型的には、横方向を有する長方形のスリットである。
【００５９】
切離し用小孔線２４は、あらゆる方法によって形成することができる。ロール状紙又は不織製品のあらゆる形態において、切離し用小孔線の線を定めるための穿孔装置は、当業者によく知られている。例えば、従来の穿孔装置は、典型的製造及び変換プラントにおいて、ほとんどすべての浴用ティッシュ及びタオルライナーに組み込まれる。これらの装置は、多数の穿孔（ｐｅｒｆ）ブレードを保持する穿孔用ロール、及び多数のアンビル組立体を保持する固定式アンビルヘッドを含む。アンビル組立体は、典型的には、すべてのｐｅｒｆブレードが同時にすべてのアンビルを叩き続けるように、固定式アンビルヘッドに渦巻き状に位置決めされる。この工程においては、変換装置上で破断することなく効率的に作動するように、十分な接着力を有する切離し用小孔線の線を有することと、消費者が切り離すのに、容易でかつ損失を与えないシートを提供するような小さい接着力を有することとの平衡をとらなければならない。
【００６０】
一実施形態においては、切離し用小孔線２４は、強度において変化することができる。例えば、適当な量のトイレットティッシュなどの予め定められた距離での切離し用小孔線は、ティッシュウエブにおいて他の切離し用小孔線より弱いものとすることができる。例えば、２つごと、３つごと、４つごと、又は５つごとの切離し用小孔線は、ティッシュウエブの他の切離し用小孔線より弱いものとすることができる。例えば、弱い切離し用小孔線は、ティッシュウエブの他の切離し用小孔線より少なくとも５０％弱い、例えば他の切離し用小孔線より少なくとも６０％弱いものとすることができる。幾つかの切離し用小孔線を他より弱くするために、切離し用小孔線を長くして、その結果接着面積が小さくすることができる。一実施形態においては、パターン又は図案と組み合わせた適当な切離し用小孔線がティッシュウエブの他の切離し用小孔線より弱いものとなるように、弱い切離し用小孔線をパターン又は図案によって位置決めすることができる。例えば、図１を参照すると、グループ２６（ａ）とグループ２６（ｂ）との間の切離し用小孔線２４は、ティッシュウエブ１４の他の切離し用小孔線２４より弱いものとすることができる。同様に、図３を参照すると、繰り返しパターン１２の間の切離し用小孔線２４は、次の表示２８（ｃ）より弱いものとすることができる。
【００６１】
又、ロール状ティッシュ製品１０から適当な量のティッシュウエブ１４を切り裂くために、どの切離し用小孔線２４を使用するべきかを示すために、幾つかの切離し用小孔線は視覚的指標と組み合わせることができる。例えば、図４を参照すると、この切離し用小孔線が切り離すべきであることを示すために、４つごとの切離し用小孔線を目立たせている。示されているように、目立たせた切離し用小孔線が繰り返しパターンの間に位置するように、目立たせた切離し用小孔線はパターンと組み合わせて方向付けられる。他の実施形態においては、予め定められた距離と関連する視覚的指標だけが、ティッシュウエブ１４上に示すことができる。
【００６２】
幾つかの実施形態においては、視覚的指標と関連する切離し用小孔線は、ティッシュウエブにおいては、他の切離し用小孔線より弱いものとすることができる。例えば、図４を再び参照すると、目立たせた４つ目の切離し用小孔線は、ティッシュウエブ１４の他の目立たせていない切離し用小孔線より弱いものとすることができる。
【００６３】
ロール状ティッシュ製品は、あらゆる長さのティッシュウエブを有することができる。例えば、幾つかの実施形態においては、ティッシュウエブは、約６０ティッシュシートより多い、例えば約１００ティッシュシート、約２００ティッシュシート、約３００ティッシュシート、約４００ティッシュシート、約５００ティッシュシート、約６００ティッシュシート、又はそれより多いシートを有することができる。
【００６４】
本開示のティッシュウエブは、あらゆるティッシュウエブとすることができ、特定の用途に応じて変化することができる。概して、適当に形成されたあらゆるティッシュウエブは、本開示の工程において使用することができる。更に、ウエブは、あらゆる適当な型の繊維から形成することができる。例えば、ティッシュウエブは、パルプ繊維、他の天然繊維、合成繊維、及び同様のものから形成することができる。
【００６５】
本開示の目的のために有益な製紙用繊維は、紙形成のために有益なものとして知られているあらゆるセルロース系繊維、特定的には比較的低密度の紙、例えば顔用ティッシュ、トイレットティッシュ、紙タオル、食事用ナプキン及び同様のものなどを形成するために有益な繊維を含む。適当な繊維は、バージン軟材及び硬材繊維、並びに二次又は再利用されたセルロース系繊維、及びこれらの混合物を含む。特に適当な硬材繊維は、ユーカリ及びメープル繊維を含む。ここで用いられる二次繊維は、物理的、化学的、又は機械的手段を介してその最初のマトリックスから先に分離され、更に繊維性ウエブに形成され、約１０重量パーセント又はそれより小さい湿分含有量にまで乾燥して、その結果幾つかの物理的、化学的又は機械的手段によってそのウエブマトリックスから再分離されるあらゆるセルロース系繊維を意味する。
【００６６】
本開示により形成される紙ウエブは、均一な繊維原料で形成することができるか、又は単一プライ製品内に層を形成する、層状化された繊維原料から形成することができる。層状化されたベースウエブは、多層ヘッドボックスのような、当業者に知られている装置を使用して形成することができる。ベースウエブの強度と柔軟性の両方は、層状化されたヘッドボックスから形成されるもののような、層状ティッシュを通して望まれるように調整することができる。
【００６７】
例えば、異なる繊維原料は、望ましい特性を有する層を形成するために、各々の層に使用することができる。例えば、軟材繊維を含む層は、硬材繊維を含む層より高い引張強度を有する。一方、硬材繊維は、ウエブの柔軟性を増加することができる。一実施形態においては、本発明の単一プライベースウエブは、主に硬材繊維を含む第一外側層及び第二外側層を含む。硬材繊維は、望まれるならば、約１０重量％までの量の損紙及び／又は約１０重量％までの量の軟材繊維を混合することができる。ベースウエブは更に、第一外側層と第二外側層との間に位置決めされる中間層を含む。中間層は、主に軟材繊維を含むことができる。望まれるならば、高収率繊維又は合成繊維などの他の繊維は、約１０重量％までの量の軟材繊維と混合することができる。
【００６８】
層状化された繊維原料からウエブを形成する時は、各々の層の相対重量は、特定の用途に応じて変化することができる。例えば、一実施形態においては、３つの層を含むウエブを形成する場合は、各々の層は、ウエブの総重量の約１５％から約４０％、例えばウエブの重量の約２５％から約３５％とすることができる。
【００６９】
本開示のティッシュ製品は、一般的には、当業者に知られているあらゆる種々異なる製紙工法により形成することができる。事実、紙ウエブを形成することが可能なあらゆる工法は、本開示において利用することができる。例えば、本開示の製紙工法は、紙ウエブの形成において、接着剤クレープ加工、湿潤クレープ加工、二重クレープ加工、エンボス加工、湿潤圧縮、空気圧縮、通気式乾燥、並びに他の段階を利用することができる。
【００７０】
一実施形態においては、本開示のロール状ティッシュ製品は、子供にティッシュ製品の適当な量を教えるために、パターン又は図案をどのように使用するかを説明する指示を有することができる。例えば、トイレ訓練中の子供がどのようにロールティッシュ製品を使用するかを、親又は他の教師に説明するために、指示を向けることができる。例えば、指示は、ロール状ティッシュ製品の梱包材料上に印刷することができる。代替的には、指示は、ロール状ティッシュ製品内に挿入することができる。例えば、指示は、ロール２０の芯に挿入することができる。代替的には、指示は、第一ティッシュシートがロール１０から取り除かれる時指示が読めるように、ロールの最も外側への挿入部に位置することができる。
【００７１】
本発明に対するこれら及び他の修正及び変更は、本発明の意図及び範囲から外れることなく当技術により実施することができ、これは添付された特許請求の範囲により特定的に述べられている。更に、様々な実施形態の態様は、全体に又はその部分の両方において互換性があることが理解されるべきである。また、前述した説明は例示的なものであり、特許請求の範囲に更に述べられている本発明を制限するものではないことを、当業者は認識すべきである。
【図面の簡単な説明】
【００７２】
【図１】本発明によるロール状ティッシュ製品の例示的実施形態の斜視図である。
【図２】本発明によるロール状ティッシュ製品の別の例示的実施形態の斜視図である。
【図３】本発明によるロール状ティッシュ製品の更に別の例示的実施形態の斜視図である。
【図４】本発明によるロール状ティッシュ製品の付加的例示的実施形態の斜視図である。
【符号の説明】
【００７３】
１０  ロール状ティッシュ製品
１４  ティッシュウエブ
１６  第一表面
１８  第二表面
２０  ロール
２２  ティッシュシート
２４  切離し用小孔線
２６  グループ
２８  文字数字表示
３０  表示
【図１】
2009505780.tif 000003
【図２】
2009505780.tif 000004
【図３】
2009505780.tif 000005
【図４】
2009505780.tif 000006
【国際調査報告】
2009505780.tif 000007
2009505780.tif 000008